(57)【特許請求の範囲】
【請求項１】
耳の付け根の上部に当接するとともに、耳の裏側の付け根に沿うようにして、耳に係止させる耳係止部と、
前記耳係止部に設けられ、マスクまたはマウスシールドの鼻孔や口を覆う覆い部に設けられた紐状体を耳の下方に導いて保持する紐保持部と
を有することを特徴とするマスクまたはマウスシールドの装着具。
【請求項２】
前記紐保持部が、前記紐状体を着脱自在に係止する鉤状体であることを特徴とする請求項１に記載のマスクまたはマウスシールドの装着具。
【請求項３】
前記紐保持部が、前記紐状体を着脱自在に収容する溝であることを特徴とする請求項１に記載のマスクまたはマウスシールドの装着具。
【請求項４】
前記紐保持部が、前記紐状体を着脱自在に引っ掛ける突起であることを特徴とする請求項１に記載のマスクまたはマウスシールドの装着具。
【請求項５】
耳の付け根の上部に当接するとともに、耳の裏側の付け根に沿うようにして、耳に係止させる耳係止部と、
前記耳係止部に設けられ、マスクの鼻孔や口を覆う覆い部に設けられた紐状体を耳の下方に導いて保持する紐保持部とを有し、
前記紐状体と前記紐保持部とが固定されていることを特徴とするマスク。
【請求項６】
前記覆い部の鼻に当接する位置に、前記覆い部がずり落ちるのを防止する滑り止め部が設けられていることを特徴とする請求項５に記載のマスク。
【請求項７】
耳の付け根の上部に当接するとともに、耳の裏側の付け根に沿うようにして、耳に係止させる耳係止部と、
前記耳係止部に設けられ、マウスシールドの鼻孔や口を覆う覆い部に設けられた紐状体を耳の下方に導いて保持する紐保持部とを有し、
前記紐状体と前記紐保持部とが固定されていることを特徴とするマウスシールド。
【発明の詳細な説明】
【技術分野】
【０００１】
本発明は、マスクまたはマウスシールドの装着具、マスク、およびマウスシールドに関し、特に、マスクまたはマウスシールドの鼻孔や口を覆う覆い部に設けられた紐状体をもみあげから退避させるように装着することができるマスクまたはマウスシールドの装着具、マスク、およびマウスシールドに関する。
【背景技術】
【０００２】
主に空気中の飛沫による感染予防を目的として用いられる一般的なマスクは、鼻孔や口を覆う覆い部と、この鼻孔や口を覆う覆い部の両側にそれぞれ取り付けられた耳掛け紐を備えている。この種のマスクは、美容室ではヘアーカット、シャンプー、カラーリング、ストレートパーマその他の施術をする場合、感染症、例えば新型コロナウイルスの感染予防のために、顧客がマスクをつけたまま施術をすると、特にもみあげ付近の耳掛け紐が邪魔になり、ヘアーカットやセットがやりづらく時間がかかり、さらには不正確になる可能性があった。また、ストレートパーマやカラーリングをする場合、特にもみあげ付近の耳掛け紐に薬剤が付着して耳掛け紐が汚れることがあり、さらには付着した薬剤が肌に触れて肌に悪影響を及ぼすおそれがあった。また、耳掛け紐を用いて装着するマウスシールドでも、同様の問題があった。
【０００３】
このような問題を解決するため、覆い部にシリコーン系粘着剤を含む粘着部を設け、この粘着部を用いて覆い部を顔に貼り付けることにより、耳掛け紐を用いずに装着することができるマスクが提案されている（例えば、特許文献１）。
【先行技術文献】
【特許文献】
【０００４】
【特許文献１】実用新案登録第３２２８８４４号
【発明の概要】
【発明が解決しようとする課題】
【０００５】
特許文献１のマスクによると、粘着部を用いて覆い部を顔に貼り付けるため、皮膚が荒れたり、アレルギーにより赤くなりかぶれたりするおそれがあるという問題があった。また、汗や皮脂、乳液やファンデーションで顔に貼りつきにくかったり、途中で脱落してしまったりするという問題があった。さらに、一度使用すると粘着部の粘着力が低下するため、何度も使用することができず、コストがかかるという問題があった。
【０００６】
そこで、本発明は、マスクまたはマウスシールドの鼻孔や口を覆う覆い部に設けられた紐状体をもみあげから退避させるように装着することができ、安価に使用することができるマスクまたはマウスシールドの装着具、マスク、およびマウスシールドを提供することを目的とする。
【課題を解決するための手段】
【０００７】
上記課題を解決するために、本発明によるマスクまたはマウスシールドの装着具は、耳の裏側から耳の上側の付け根に係止させる耳係止部と、前記耳係止部に設けられ、マスクまたはマウスシールドの鼻孔や口を覆う覆い部に設けられた紐状体を耳の下方に導いて保持する紐保持部とを有することを特徴とする。
【０００８】
上述のマスクまたはマウスシールドの装着具は、前記保持部が、前記紐状体を着脱自在に係止する鉤状体であることが好ましい。
【０００９】
また、上述のマスクまたはマウスシールドの装着具は、前記保持部が、前記紐状体を着脱自在に収容する溝であることも好ましい。
【００１０】
また、上述のマスクまたはマウスシールドの装着具は、前記保持部が、前記紐状体を着脱自在に引っ掛ける突起であることも好ましい。
【００１１】
また、上記課題を解決するために、本発明によるマスクは、耳の裏側から耳の上側の付け根に係止させる耳係止部と、前記耳係止部に設けられ、マスクの鼻孔や口を覆う覆い部に設けられた紐状体を耳の下方に導いて保持する紐保持部とを有し、前記紐状体と前記紐保持部とが固定されていることを特徴とする。
【００１２】
上述のマスクは、前記覆い部の鼻に当接する位置に、前記覆い部がずり落ちるのを防止する滑り止め部が設けられていることが好ましい。
【００１３】
また、上記課題を解決するために、本発明によるマウスシールドは、耳の裏側から耳の上側の付け根に係止させる耳係止部と、前記耳係止部に設けられ、マウスシールドの鼻孔や口を覆う覆い部に設けられた紐状体を耳の下方に導いて保持する紐保持部とを有し、前記紐状体と前記紐保持部とが固定されていることを特徴とする。
【発明の効果】
【００１４】
本発明に係るマスクまたはマウスシールドの装着具、マスク、およびマウスシールドによれば、マスクまたはマウスシールドの鼻孔や口を覆う覆い部に設けられた紐状体をもみあげから退避させるように装着することができ、安価に使用することができる。
【図面の簡単な説明】
【００１５】
【図１】本発明の実施形態に係るマスクまたはマウスシールドの装着具を示す図であり、（Ａ）は正面図であり、（Ｂ）は側面図であり、（Ｃ）は斜視図である。
【図２】本発明の実施形態に係るマスクまたはマウスシールドの装着具をマスクに取り付けた様子を示す斜視図である。
【図３】本発明の実施形態に係るマスクまたはマウスシールドの装着具を用いてマスクを装着した状態を示す斜視図である。
【図４】本発明の実施形態に係るマスクまたはマウスシールドの装着具の他の態様を示す図であり、（Ａ）は正面図であり、（Ｂ）は側面図であり、（Ｃ）は斜視図である。
【図５】本発明の実施形態に係るマスクまたはマウスシールドの装着具の他の態様を示す図であり、（Ａ）は正面図であり、（Ｂ）は側面図であり、（Ｃ）は斜視図である。
【図６】本発明の実施形態に係るマスクまたはマウスシールドの装着具をマウスシールドに取り付けた様子を示す斜視図である。
【図７】本発明の実施形態に係るマスクを示す斜視図である。
【図８】本発明の実施形態に係るマスクの他の態様を示す斜視図である。
【発明を実施するための形態】
【００１６】
以下に、本発明の実施の形態について詳細に説明する。
【００１７】
本発明に係るマスクまたはマウスシールドの装着具１は、図１〜３を参照して、耳の裏側から耳の上側の付け根に係止させる耳係止部２と、耳係止部２に設けられ、マスク５１またはマウスシールド５２（５）の鼻孔や口を覆う覆い部６に設けられた紐状体７を耳の下方に導いて保持する紐保持部３とを有する。
【００１８】
耳係止部２は、フック状形状を有しており、円弧状のアール部２１とアール部２１の一端からから延出する延出部２２とを有する。耳係止部２は、アール部２１の内側の一部または全部が耳の付け根の上部に当接するとともに、延出部２２が耳の裏側の付け根に沿うようにして、耳に係止される。延出部２２は、直線形状であってもよいし、緩やかに弧を描く曲線形状であってもよいし、直線形状と曲線形状の組み合わせであってもよい。
【００１９】
耳係止部２は、耳の裏側から耳の上側の付け根に係止させることができれば、大きさに特に限定はないが、アール部２１の内側間の最大幅が０．５〜３ｃｍであることが好ましく、１〜２ｃｍであることがより好ましい。延出部２２の長さは、１〜８ｃｍであることが好ましく、２．５〜６ｃｍであることがより好ましい。
【００２０】
耳係止部２は、耳の裏側から耳の上側の付け根に係止させることができれば、材質に特に限定はないが、合成樹脂、金属、紙、パラフィン蝋を塗布、浸透させる等した耐水紙、木、ゴム、シリコーンゴム、繊維強化プラスチック、金属を合成樹脂で被覆したもの、シリコーンチューブ・ゴムチューブ・発泡樹脂チューブ・熱収縮チューブなどの柔軟で可撓性のある管に針金を挿通したもの、シリコーンチューブ・ゴムチューブ・発泡樹脂チューブ・熱収縮チューブなどの柔軟で可撓性のある管に合成樹脂を挿通したもの、シリコーンチューブ・ゴムチューブ・発泡樹脂チューブ・熱収縮チューブなどの柔軟で可撓性のある管に金属を合成樹脂で被覆したものを挿通したものなどが好適に用いられる。特に、アクリル樹脂、ポリカーボネート、ポリプロピレン、シリコーンゴム、シリコーンチューブ・ゴムチューブ・発泡樹脂チューブ・熱収縮チューブなどの柔軟で可撓性のある管に針金を挿通したもの、シリコーンチューブ・ゴムチューブ・発泡樹脂チューブ・熱収縮チューブなどの柔軟で可撓性のある管に合成樹脂を挿通したもの、シリコーンチューブ・ゴムチューブ・発泡樹脂チューブ・熱収縮チューブなどの柔軟で可撓性のある管に金属を合成樹脂で被覆したものを挿通したものなどが好適に用いられる。
【００２１】
紐保持部３は、本実施形態においては、紐状体７を着脱自在に係止する鉤状体であり、鉤状体は、耳係止部２の延出部２２に連続して設けられている。より詳細には、鉤状体は、延出部２２の下端から上方に向けて折り返すように形成されている。紐保持部３は、マスクまたはマウスシールド５５の鼻孔や口を覆う覆い部６に設けられた紐状体７を係止することができれば、大きさに限定はないが、折り返した部分の長さは、０．３〜８ｃｍであることが好ましく、０．７〜１．５ｃｍであることがより好ましい。なお、本実施形態においては、鉤状体は、延出部２２の下端から上方に向けて折り返すように形成したが、延出部２２の途中から上方に向けて折り返すように形成してもよい。
【００２２】
紐保持部３は、マスクまたはマウスシールド５の鼻孔や口を覆う覆い部６に設けられた紐状体７を係止することができれば、材質に特に限定はないが、合成樹脂、金属、紙、パラフィン蝋を塗布、浸透させる等した耐水紙、木、ゴム、シリコーンゴム、繊維強化プラスチック、金属を合成樹脂で被覆したもの、シリコーンチューブ・ゴムチューブ・発泡樹脂チューブ・熱収縮チューブなどの柔軟で可撓性のある管に針金を挿通したもの、シリコーンチューブ・ゴムチューブ・発泡樹脂チューブ・熱収縮チューブなどの柔軟で可撓性のある管に合成樹脂を挿通したもの、シリコーンチューブ・ゴムチューブ・発泡樹脂チューブ・熱収縮チューブなどの柔軟で可撓性のある管に金属を合成樹脂で被覆したものを挿通したものなどが好適に用いられる。特に、アクリル樹脂、ポリカーボネート、ポリプロピレン、シリコーンゴム、シリコーンチューブ・ゴムチューブ・発泡樹脂チューブ・熱収縮チューブなどの柔軟で可撓性のある管に針金を挿通したもの、シリコーンチューブ・ゴムチューブ・発泡樹脂チューブ・熱収縮チューブなどの柔軟で可撓性のある管に合成樹脂を挿通したもの、シリコーンチューブ・ゴムチューブ・発泡樹脂チューブ・熱収縮チューブなどの柔軟で可撓性のある管に金属を合成樹脂で被覆したものを挿通したものなどが好適に用いられる。また、紐保持部３は、耳係止部２と同一材料により一体的に形成されていることが好ましい。
【００２３】
本発明に係るマスクまたはマウスシールドの装着具１を取り付けるマスク５１は、紐状体７を耳に掛けて装着するタイプ、または、紐状体７を後頭部および／または襟足近傍で結ぶなど固定して装着するタイプのものであればよく、特に限定することなく用いることができる。マスク５１の形状も限定されることはなく、矩形平面形状のマスク、立体形状のマスク、プリーツが設けられたマスクなどを用いることができる。さらに、マスク５１の素材も限定されることはなく、ガーゼ他各種布、不織布、ポリウレタン・ポリエステルなどのニット生地、ポリウレタンなどのスポンジなどで作製されたマスクを用いることができる。
【００２４】
また、本願発明における紐状体７は、マスク５１を耳に掛けて装着する、または後頭部および／または襟足近傍で結ぶなど固定して装着するためのものであれば、特に限定されるものではなく、紐であってもよいし、ポリウレタン・ポリエステルなどのニット生地、ポリウレタンなどのスポンジで形成された覆い部６と一体的に形成され穴を設けることにより形成された耳掛け部であってもよい。紐は、伸縮性があるものであっても、伸縮性がないものであってもよいが、伸縮性があるものであることが好ましい。伸縮性があるものとしては、例えば、平ゴムと丸ゴムが挙げられ、平ゴムは、織ゴムタイプ、編ゴムタイプ、コールゴムタイプがあり、丸ゴムは、主に製紐タイプ、丸編タイプ、横巻タイプがある。紐の素材も特に限定されるものではないが、ナイロンまたはポリエステルが好適に用いられる。
【００２５】
マスクまたはマウスシールドの装着具１は、図２，３に示すように、マスクまたはマウスシールド５の鼻孔や口を覆う覆い部６の側部上側に設けられた紐状体７１と覆い部６の側部下側に設けられた紐状体７２とを挿通して束ねる環状体４を有することが好ましい。覆い部６の側部上側に設けられた紐状体７１を覆い部６の側部下側に設けられた紐状体７２と束ねて紐保持部３に保持させることにより、より確実に紐状体７をもみあげを避けて耳の下方へ導くことができる。
【００２６】
環状体４の材質や形状は特に限定されるものではないが、シリコーンチューブ・ゴムチューブ・発泡樹脂チューブ・熱収縮チューブなどの柔軟で可撓性のある管を好適に用いることができる。環状体４はの大きさは特に限定されるものではないが、紐状体７を挿通させやすく任意の位置に固定可能であることを考慮すると、最大幅が２〜４ｍｍ、長さが２〜６ｍｍであることが好ましい。
【００２７】
次に、本実施形態によるマスクまたはマウスシールドの装着具１の使用方法について、説明する。まず、覆い部６の側部上側に設けられた紐状体７１と覆い部６の側部下側に設けられた紐状体７２とを環状体４に挿通する。紐状体７を耳に掛けて装着するタイプのマスクのように、覆い部６の側部上側に設けられた紐状体７と覆い部６の側部下側に設けられた紐状体７とが連続して形成され輪になっている場合は、輪をつぶすようにして二本の紐状体７を束ねて持ち、環状体４に挿通させるとよい。紐状体を後頭部などで結んで装着するタイプのマスクのように、覆い部６の側部上側に設けられた紐状体と覆い部６の側部下側に設けられた紐状体とが別個に設けられている場合は、それぞれの二本の紐状体を束ねて持ち、環状体４に挿通させるとよい。このような作業を、覆い部６の両側部に設けられた紐状体７について、それぞれ行う。
【００２８】
次に、環状体４に挿通された紐状体７を紐保持部３に保持させる。覆い部６の側部上側に設けられた紐状体７１と覆い部６の側部下側に設けられた紐状体７２とが連続して形成され輪になっている場合は、環状体４に挿通された紐状体７は輪になっているので、この輪の部分を鉤状体に引っ掛けるようにして係止させる。覆い部６の側部上側に設けられた紐状体と覆い部６の側部下側に設けられた紐状体とが別個に設けられている場合は、環状体４に挿通された二本の紐状体７を、長さを調節した上で束ねて結んで輪にし、この輪の部分を鉤状体に引っ掛けるようにして係止させる。なお、環状体４を用いない場合は、覆い部６の側部上側に設けられた紐状体７と覆い部６の側部下側に設けられた紐状体７とが連続して形成され輪になっている場合は、この輪を鉤状体に引っ掛けるようにして係止させる。覆い部６の側部上側に設けられた紐状体７と覆い部６の側部下側に設けられた紐状体７とが別個に設けられている場合は、二本の紐状体７を、長さを調節した上で束ねて結んで輪にし、この輪を鉤状体に引っ掛けるようにして係止させる。このような作業を、覆い部６の両側部に設けられた紐状体７について、それぞれ行う。
【００２９】
次に、マスクまたはマウスシールドの装着具１を耳の裏に持っていき、紐状体７が耳の下方を通るようにし、耳係止部２の延出部２２を耳の裏側の付け根に沿わせるようにし、アール部２１の内側の一部または全部が耳の付け根の上部に当接させるようにして、耳係止部２を耳の上側の付け根に引っ掛けて係止させる。覆い部６の側部上側に設けられた紐状体７１が覆い部６の側部下側に設けられた紐状体７２とともに、紐状体７が耳の下方を通るようにして、耳の裏に位置する紐保持部３に保持されているので、紐状体７がもみあげを避けた状態で、マスク５１を装着することができる。
【００３０】
さらに、環状体４の位置を調整することで、より確実に紐状体７がもみあげを避けた状態で、マスク５１を装着することができる。環状体４を覆い部６側に移動させるほど、よりもみあげを避けることができるが、覆い部６が下方にずれやすくなる。もみあげを効果的に避けながら両者のバランスをとって調整することが好ましい。
【００３１】
また、本発明によるマスクまたはマウスシールドの装着具１は、使用後に紐状体７から外して洗浄することにより、繰り返し使用可能であるため、安価に使用することができる。
【００３２】
次に、マスクまたはマウスシールドの装着具１の第一変形例について、説明する。図４に示すように、本変形例によるマスクまたはマウスシールドの装着具７０１は、耳の裏側から耳の上側の付け根に係止させる耳係止部７０２と、耳係止部７０２に設けられ、マスクまたはマウスシールド５の鼻孔や口を覆う覆い部６に設けられた紐状体７を耳の下方に導いて保持する紐保持部７０３とを有する。
【００３３】
耳係止部７０２は、フック状形状を有しており、円弧状のアール部７０２１とアール部７０２１から延出する延出部７０２２とを有する。耳係止部７０２は、アール部７０２１の内側の一部または全部が耳の付け根の上部に当接するとともに、延出部７０２２が耳の裏側の付け根に沿うようにして、耳に係止される。延出部７０２２は、耳の裏の付け根に沿うようにわずかに湾曲している。耳係止部７０２の大きさ、材質に特に限定はなく、上述の実施形態における耳係止部２と同様とすることができるが、材質としては、アクリル樹脂、ポリカーボネート、ポリプロピレン、シリコーンゴムが好適である。
【００３４】
紐保持部７０３は、紐状体７を着脱自在に収容する溝である。溝は、延出部７０２２に、延出部７０２２の延出方向と直行する方向から延出方向下方に向けて、断面L字形状に設けられている。溝の形状はこれに限定されるものではなく、延出部７０２２の延出方向と直行する方向のみに設けられていてもよいし、延出部７０２２の延出方向と直行する方向から延出方向下方に向けて斜めに設けてもよいし（断面I字形状）、延出部７０２２の延出方向と直行する方向から延出方向下方に向けて弧を描くように設けてもよい（断面Ｃ字形状）。溝は、延出部７０２２の延出方向に複数本設けることが好ましく、本変形例では三本設けられている。どの位置の溝に紐状体７０７を保持させるかにより、覆い部６の顔への密着度合を調整することができる。また、延出部７０２２の延出方向に沿って縦に延びる縦溝７０５を、延出部７０２２の上述の溝の下方に設けることも好ましい。覆い部６の側部上側に設けられた紐状体７１と覆い部６の側部下側に設けられた紐状体７２とを束ねた状態で縦溝７０５に収容し、その紐状体７の端部を溝に引っ掛けることにより、より確実に紐状体７を耳の下方から裏側に導くことができる。
【００３５】
次に、マスクまたはマウスシールドの装着具１の第二変形例について、説明する。図５に示すように、本変形例によるマスクまたはマウスシールドの装着具８０１は、上述の第一変形例の溝による紐保持部７０３に替えて、突起による紐保持部８０３を有している。紐保持部８０３以外は、第一変形例と同様である。紐保持部８０３は、紐状体７を着脱自在に引っ掛ける突起である。突起は、延出部８０２２の表面から装着時に地面と略平行になるように突出する突出部８０３１と、突出部８０３１の先端に設けられ、突出部８０３１の突出方向と直行する全方向に突出した頂部８０３２とを有し、断面Ｔ字形状を有している。突起の形状はこれに限定されるものではなく、突出部８０３１の突出方向と直行する上方向にのみ突出させて断面Ｌ字状としてもよい。また、突出部８０３１のみで突起を構成してもよいが、上記のように断面Ｔ字形状や断面Ｌ字状の突起とすることにより、紐状体７が突起から滑り落ちることがない。なお、図示しないが、第一変形例のように、延出部８０２２の延出方向に沿って縦に延びる縦溝を、突起の下方に設け、覆い部６の側部上側に設けられた紐状体７と覆い部６の側部下側に設けられた紐状体７とを束ねた状態で縦溝に収容できるようにしてもよい。
【００３６】
さらに、図示しないが、紐保持部３として、溝や突起を設けることなく、延出部２２に紐状体７を結び付けることにより、保持させてもよい。すなわち、耳係止部２の延出部２２が紐保持部３として機能する。この場合、耳係止部２は、結び付けた紐状体７が滑り落ちないように、滑りにくい材質のもので形成するか、少なくとも延出部２２に表面加工を施すことにより滑りにくくすることが好ましい。
【００３７】
さらに、図示しないが、紐保持部は、延出部２２の端部に設けられた断面コ字状部材と、コ字状部材の一端にヒンジを介して開閉自在に設けられた蓋部とにより構成し、コ字状部材の内部に紐状体７を収容して蓋部を閉めることにより、紐状体７を保持するようにしてもよい。
【００３８】
以上の実施形態においては、マスクまたはマウスシールドの装着具１をマスク５１に取り付ける場合について説明したが、図６に示すように、同様にしてマウスシールド５２にも用いることができる。本発明に係るマスクまたはマウスシールドの装着具１を取り付けるマウスシールド５２は、紐状体７を耳に掛けて装着するタイプ、または、紐状体７を後頭部および／または襟足近傍で結ぶなど固定して装着するタイプのものであればよく、特に限定することなく用いることができる。紐状体７が覆い部６２に設けられる位置は、特に限定されるものではなく、図６に示すように、覆い部６２の側部下側に輪の状態で設けられていてもよいし、覆い部６の側部下側に二本の紐状体７が設けられていてもよいし、上述のマスク５１と同様に覆い部６の側部上側と覆い部６の１部下側に設けられていてもよい。また、紐状体７についても特に限定されるものではなく、上述のマスク５１の紐状体７と同様のものであってもよい。
【００３９】
マウスシールド５２の覆い部６２の大きさは、鼻孔や口を覆うことができれば特に限定されるものではない。また、覆い部６２の形状も特に限定されるものではないが、鼻孔や口からの飛沫の飛散を防止するフィルム８と、フィルム８の下端部に設けられフィルムを湾曲保持するフィルム保持部９と、フィルム保持部９のあごと対向する位置に設けられ、あごに当接させてフィルム保持部９に保持されたフィルム８を顔面から一定間隔をあけて支持する支持部１０とを有するものが好適である。フィルム８の材質は特に限定されるものではないが、フィルム部は、合成樹脂であることが好ましく、ポリエチレンテレフタレート、ポリ塩化ビニル、ポリカーボネート、ポリプロピレンなどが好適である。
【００４０】
マスクまたはマウスシールドの装着具１のマウスシールド５２への取付方法は、上述のマスク５１の場合と同様である。紐状体７が覆い部６２の側部下側に輪の状態で設けられていている場合や、覆い部６２の側部下側に二本の紐状体７が設けられている場合も、同様にして取り付けることができる。なお、これらの場合は、環状体４を用いる必要はない。
【００４１】
次に、本発明によるマスク１１１，１１２（１１）について、図７，８を参照して説明する。本実施形態に係るマスク１１は、耳の裏側から耳の上側の付け根に係止させる耳係止部９０２と、耳係止部９０２に設けられ、マスクの鼻孔や口を覆う覆い部９０６に設けられた紐状体９０７を耳の下方に導いて保持する紐保持部９０３とを有し、紐状体９０７と紐保持部９０３とが固定されている。覆い部９０６および紐状体９０７については、特に限定されるものではなく、上述の実施形態における覆い部６および紐状体７と同様のものとすることができる。また、耳係止部９０２についても、上述の実施形態における耳係止部２と同様のものとすることができる。
【００４２】
本実施形態においては、紐保持部９０３は、耳係止部９０２の延出部９０２２の下端内側に設けられ、紐状体９０７を収容する中空部８（図示しない）と、中空部に接着剤を充填し紐状体７０７を収容した状態で乾燥固化させた接着部（図示しない）とからなる。中空部は、耳係止部９０２を合成樹脂、金属、紙、パラフィン蝋を塗布、浸透させる等した耐水紙、木、ゴム、シリコーンゴム、繊維強化プラスチック、金属を合成樹脂で被覆したものなどで構成する場合は、耳係止部９０２の延出部９０２２の下端内側に溝を切ることにより形成することができる。また、中空部は、耳係止部９０２をシリコーンチューブ・ゴムチューブ・発泡樹脂チューブ・熱収縮チューブなどの柔軟で可撓性のある管に針金を挿通したもの、シリコーンチューブ・ゴムチューブ・発泡樹脂チューブ・熱収縮チューブなどの柔軟で可撓性のある管に合成樹脂を挿通したもの、シリコーンチューブ・ゴムチューブ・発泡樹脂チューブ・熱収縮チューブなどの柔軟で可撓性のある管に金属を合成樹脂で被覆したものを挿通したものなどで構成する場合は、耳係止部９０２の延出部９０２２の下端から管のみをさらに延出させることにより形成することができる。接着剤は、延出部９０２２と紐状体９０７とを接着できるものであればよく、公知のものを使用することができる。上記では、接着剤を用いて紐状体を固定したが、熱収縮チューブを用いた場合など、中空部に紐状体９０７を嵌入させるだけで、十分に固定できれば、接着剤は用いなくてもよい。また、逆に、紐状体の先端に中空部を設け、該中空部に細くした耳係止部の端部を挿入して接着剤などで固定してもよい。
【００４３】
紐状体９０７が、覆い部９０６の側部上側と側部下側とに取り付けられている場合は、図7に示すように、二本の紐状体９０７をまとめて紐保持部９０３で保持固定してもよいし、図示しないが、覆い部９０６の側部上側の紐状体と側部下側の紐状体とを別手段で一本にまとめるなどして、覆い部９０６の側部上側の紐状体と側部下側の紐状体とから延びる一本の紐状体を紐保持部９０３で保持固定してもよい。また、紐状体９０７が、覆い部６の側部上側と側部下側とに取り付けられている場合は、図７に示すように、両方の紐状体９０７を束ねる環状体４を挿通させた状態で紐状体９０７を紐保持部９０３に保持固定させてもよい。環状体４は、上述の環状体４と同様のものを用いることができる。
【００４４】
紐保持部９０３は、これに限定されるものではなく、図示しないが、耳係止部９０２の延出部９０２２の下端部と紐状体９０７の先端部とを加熱融着させた融着部で構成してもよい。また、紐保持部９０３を延出部９０２２の下端に設けられた環状の環状部で構成し、環状部に紐状体９０７を挿通させた状態で覆い部９０６に取り付けてもよい。
【００４５】
また、図７に示すように、覆い部９０６の鼻に当接する位置に、覆い部６がずり落ちるのを防止する滑り止め部１２が設けられていることが好ましい。滑り止め部１２の材質は限定されるものではないが、シリコーン、シリコーンゴム、ゴムなどが好適である。滑り止め部の形状も限定されるものではないが、線状、破線状、点状などが好適であり、個数も任意に設けることができる。
【００４６】
なお、マスク１１１，１１２（１１）は、覆い部９０６、紐状体９０７、耳係止部９０２、紐保持部９０３を洗浄可能な材質で構成すれば、繰り返し使用可能であり、安価に使用することができる。
【００４７】
また、図示しないが、紐状体に上述の紐保持部を固定させたマウスシールドとすることもできる。このマウスシールドの覆い部、紐状体、耳係止部、紐保持部は、上述の覆い部６２、紐状体７、耳係止部９０２、紐保持部９０３と同様である。
【００４８】
本発明によるマスクまたはマウスシールドの装着具１、マスク１１、およびマウスシールドによれば、マスクまたはマウスシールド５の鼻孔や口を覆う覆い部６に設けられた紐状体７をもみあげから退避させるように装着することができ、美容室で施術する際に、紐状体７がヘアーカットやセットの邪魔になることがなく、紐状体７にストレートパーマやカラーリングの薬剤が付着することも防止することができる。また、美容室以外でも、芸舞妓のように日本髪にした際に、マスクなどを装着するときに用いれば、紐状体７が鬢に干渉することがない。さらに、平常時に使用した場合も、横顔をすっきりと見せることができ、また、紐状体が頬の高い位置に触れている煩わしさや、わずかに視界に入る煩わしさから解放される。また、マスクまたはマウスシールドの装着具１はマスク５１やマウスシールド５２から外すことにより、繰り返し使用可能であり、安価に使用することができる。耳係止部９０２を備えたマスクやマウスシールドも、洗浄・消毒可能な材質で構成すれば、繰り返し使用可能であり、安価に使用することができる。
【符号の説明】
【００４９】
１： マスクまたはマウスシールドの装着具
２，７０２，８０２，９０２： 耳係止部
３，７０３，８０３，９０３：紐保持部
４：環状体
５： マスクまたはマウスシールド
６：覆い部
７：紐状体
【要約】
【課題】マスクまたはマウスシールドの鼻孔や口を覆う覆い部に設けられた紐状体をもみあげから退避させるように装着することができ、安価に使用することができるマスクまたはマウスシールドの装着具、マスク、およびマウスシールドを提供する。
【解決手段】耳の裏側から耳の上側の付け根に係止させる耳係止部２と、耳係止部２に設けられ、マスクまたはマウスシールド５の鼻孔や口を覆う覆い部６に設けられた紐状体７を耳の下方に導いて保持する紐保持部３とを有することを特徴とする。
【選択図】図３【図１】
0006951809.tif 000002
【図２】
0006951809.tif 000003
【図３】
0006951809.tif 000004
【図４】
0006951809.tif 000005
【図５】
0006951809.tif 000006
【図６】
0006951809.tif 000007
【図７】
0006951809.tif 000008
【図８】
0006951809.tif 000009